(57)【要約】【課題】ＧＲＣ等のコンクリート系外壁面材を、肉薄であっても、しっかりとした取付け状態にすることができる、取付け構造及び外壁パネルを提供する。【解決手段】外壁面材２が、小割りにされた複数枚の単位外壁面材３…からなり、各単位外壁面材３は、縁部に、取付け用の引っ掛け凸部６を備え、該引っ掛け凸部６は、面材の肉内に埋込み状態にされたアンカー部７ｂを備えた引っ掛け金物７からなっている。該引っ掛け凸部６がパネルフレーム４に固着状態に取り付けられた受け金物１０，１０に引っ掛け状態にされることで、前記各単位外壁面材３，３が屋外側への倒れ阻止状態にパネルフレーム４に保持されている。【選択図】      図１
2005282188.tif 000002
【特許請求の範囲】
【請求項１】
ＧＲＣ等のコンクリート系外壁面材の縁部に、取付け用の引っ掛け凸部が備えられ、
該引っ掛け凸部は、面材の肉内に埋込み状態にされたアンカー部を備えた引っ掛け金物からなっており、
該引っ掛け凸部が取付け側に引っ掛け状態にされることで、前記面材が屋外側への倒れ阻止状態に取付け側に保持されていることを特徴とする、ＧＲＣ等のコンクリート系外壁面材の取付け構造。
【請求項２】
ＧＲＣ等のコンクリート系外壁面材が、小割りにされた複数枚の単位外壁面材からなり、
各単位外壁面材は、縁部に、取付け用の引っ掛け凸部を備え、
該引っ掛け凸部は、面材の肉内に埋込み状態にされたアンカー部を備えた引っ掛け金物からなっており、
該引っ掛け凸部がパネルフレームの側に引っ掛け状態にされることで、前記各単位外壁面材が屋外側への倒れ阻止状態にパネルフレームの側に保持されていることを特徴とする、ＧＲＣ等のコンクリート系外壁面材を用いた外壁パネル。
【請求項３】
ＧＲＣ等のコンクリート系外壁面材の縁部に、取付け用の引っ掛け凸部が備えられ、
該引っ掛け凸部は、面材の肉内に埋込み状態にされたアンカー部を備えた引っ掛け金物からなっており、
該引っ掛け凸部がパネルフレームの側に引っ掛け状態にされることで、前記面材が屋外側への倒れ阻止状態にパネルフレームの側に保持されていることを特徴とする、ＧＲＣ等のコンクリート系外壁面材を用いた外壁パネル。
【発明の詳細な説明】
【技術分野】
【０００１】
本発明は、ＧＲＣ等のコンクリート系外壁面材の取付け構造及び同面材を用いた外壁パネルに関する。
【背景技術】
【０００２】
コンクリート系の面材、例えばＧＲＣ板を外壁面材とする外壁パネルでは、面材とパネルフレームとの接合は、従来より、面材の成形時に面材の背面側にネジ金物を埋込み状態にして設けておき、このネジ金物を利用してネジでパネルフレームに緊結するというようにして行われている。また、面材の成形時にパネルフレームそのものを埋込み状態にして面材とパネルフレームを一体化する方法も提案されている。
【発明の開示】
【発明が解決しようとする課題】
【０００３】
しかしながら、面材が肉薄化されると、ＧＲＣ板であっても、ネジ金物のかぶり厚さの確保が困難になり、断面欠損による割れのおそれが高まり、面材をしっかりとした取付け状態にするのが難しくなるという問題を生じる。
【０００４】
また、面材の成形時にパネルフレームそのものを埋込み状態にして一体化する方法では、後の解体などにおいて面材とパネルフレームとの分離が困難になるという問題がある。
【０００５】
一方、面材の縁部に取付け用の引っ掛け凸部を成形し、パネルフレームの側に固着状態に取り付けた受け金物に、該引っ掛け凸部を引っ掛け状態にすることで、面材を屋外側への倒れ阻止状態にパネルフレームに保持させる取付け構造を採用することも考えられるが、コンクリート系の面材では、それがＧＲＣ板であっても、肉薄であると、引っ掛け凸部に欠けを生じやすくなり、充分な取付け強度を確保するのが難しくなるという問題を生じる。
【０００６】
本発明は、上記のような問題点に鑑み、ＧＲＣ等のコンクリート系外壁面材を、肉薄であっても、しっかりとした取付け状態にすることができる、取付け構造及び外壁パネルを提供することを課題とする。
【課題を解決するための手段】
【０００７】
上記の課題は、ＧＲＣ等のコンクリート系外壁面材の縁部に、取付け用の引っ掛け凸部が備えられ、
該引っ掛け凸部は、面材の肉内に埋込み状態にされたアンカー部を備えた引っ掛け金物からなっており、
該引っ掛け凸部が取付け側に引っ掛け状態にされることで、前記面材が屋外側への倒れ阻止状態に取付け側に保持されていることを特徴とする、ＧＲＣ等のコンクリート系外壁面材の取付け構造によって解決される。
【０００８】
この構造では、面材の縁部に、取付け用の引っ掛け凸部が備えられ、該引っ掛け凸部が取付け側に引っ掛け状態にされることで、面材が屋外側への倒れ阻止状態に取付け側に保持されているタイプのものであるが、引っ掛け凸部は、面材の肉内に埋込み状態にされたアンカー部を備えた引っ掛け金物からなっており、該金物の引っ掛け凸部が取付け側に引っ掛け状態にされるようになされているので、面材が肉薄であっても、引っ掛け凸部に欠けを生じるというようなことはなく、また、引っ掛け金物のアンカー部に対するコンクリートのかぶり厚さも充分に確保することができて面材に割れを生じたり断面欠損を生じることもなく、面材をしっかりとした取付け状態にすることができる。
【０００９】
また、上記の課題は、ＧＲＣ等のコンクリート系外壁面材が、小割りにされた複数枚の単位外壁面材からなり、
各単位外壁面材は、縁部に、取付け用の引っ掛け凸部を備え、
該引っ掛け凸部は、面材の肉内に埋込み状態にされたアンカー部を備えた引っ掛け金物からなっており、
該引っ掛け凸部がパネルフレームの側に引っ掛け状態にされることで、前記各単位外壁面材が屋外側への倒れ阻止状態にパネルフレームの側に保持されていることを特徴とする、ＧＲＣ等のコンクリート系外壁面材を用いた外壁パネルによっても解決される。
【００１０】
この外壁パネルでは、上記の取付け構造の場合と同様に、引っ掛け凸部が、面材の肉内に埋込み状態にされたアンカー部を備えた引っ掛け金物からなっているので、面材をしっかりとした取付け状態にすることができるのはもちろん、面材が、小割りにされた複数枚の単位外壁面材からなっているので、各単位外壁面材を取り付ける引っ掛け凸部への力学的負担が小さくなり、外壁面材をより一層しっかりとした取付け状態にすることができる。のみならず、各単位外壁面材とパネルフレームとの分離も容易に行うことができる。
【００１１】
また、ＧＲＣ等のコンクリート系外壁面材の縁部に、取付け用の引っ掛け凸部が備えられ、
該引っ掛け凸部は、面材の肉内に埋込み状態にされたアンカー部を備えた引っ掛け金物からなっており、
該引っ掛け凸部がパネルフレームの側に引っ掛け状態にされることで、前記面材が屋外側への倒れ阻止状態にパネルフレームの側に保持されていることを特徴とする、ＧＲＣ等のコンクリート系外壁面材を用いた外壁パネルによっても解決される。
【００１２】
この場合も、引っ掛け凸部が、面材の肉内に埋込み状態にされたアンカー部を備えた引っ掛け金物からなっているので、面材をしっかりとした取付け状態にすることができる。のみならず、各外壁面材とパネルフレームとの分離も容易に行うことができる。
【発明の効果】
【００１３】
本発明は、以上のとおりのものであるから、ＧＲＣ等のコンクリート系外壁面材を、肉薄であっても、しっかりとした取付け状態にすることができる。
【発明を実施するための最良の形態】
【００１４】
次に、本発明の実施最良形態を図面に基づいて説明する。
【００１５】
図１及び図２に示す第１実施形態の取付け構造は、外壁パネル１において、外壁面材２を鋼製のパネルフレーム４に取り付ける場合のものであり、５は発泡樹脂などからなる断熱材、外壁面材２は、図６に示すように、小割りにされた複数枚の単位外壁面材３…で構成されていて、単位外壁面材３…は、それぞれＧＲＣからなり、上下方向に並べられて外壁面材２を構成している。
【００１６】
各単位外壁面材３は、図１及び図２に示すように、上下の縁部に、取付け用の引っ掛け凸部６，６が備えられ、各引っ掛け凸部６は、引っ掛け金物７からなっている。引っ掛け金物７は、図５（イ−１）（イ−２）に示すように、金属の板曲げ成形品からなっていて、引っ掛け凸部６になる部分７ａと、アンカー部７ｂ，７ｂとを備え、各単位外壁面材３を成形する際に、アンカー部７ｂ，７ｂが型枠内にセットされてコンクリートに埋込み状態にされて単位外壁面材３と一体化されたものである。
【００１７】
本実施形態では、引っ掛け金物７の引っ掛け凸部６になる部分７ａに単位外壁面材３のコンクリートが回り込むのを阻止するため、硬質ゴム８が設置されており、これにより、引っ掛け凸部６になる部分７ａの弾性変形を許容しながら、単位外壁面材３の肉部に欠けなどを生じるのを阻止するようになされている。
【００１８】
パネルフレーム４への各単位外壁面材３…の取付けは、レール状などをした第１〜第３の受け金物９，１０，１１を用いて、単位外壁面材３を下から上へと取り付けていくことにより行うことができるようになされている。即ち、パネルフレーム４の最下に第１受け金物９をビス１２で断熱材５を貫通してパネルフレーム４に止め付けた後、最下の単位外壁面材３を断熱材５を介してパネルフレーム４に沿わせ、単位外壁面材３の下縁部に備えられている引っ掛け凸部６を第１受け金物９の上向き受け部９ａに引っ掛けるようにして第１受け金物９に保持させる。
【００１９】
次いで、同単位外壁面材３の上縁部の引っ掛け凸部６に第２受け金物１０の下向き受け部１０ｂを掛けるようして、該受け金物１０をビス１２で断熱材５を貫通してパネルフレーム４に止め付ける。これにより、最下の単位外壁面材３は、上下の第１，第２受け金物９，１０が引っ掛け凸部６，６を保持して、屋外側への倒れ阻止状態にパネルフレーム４に保持されて取付け状態となる。
【００２０】
そして、第２受け金物１０には、上向き受け部１０ａも備えられ、次の単位外壁面材３を同様の要領で第２受け金物１０で取り付けていき、最上部の単位外壁面材３の上縁部を、第３受け金物１１の下向き受け部１１ｂに保持させることで、すべての単位外壁面材３…がパネルフレーム４に取り付けられて外壁パネル１を得られる。
【００２１】
なお、外壁パネル１の製作は、パネルフレーム４を寝かせた状態にしてその上に断熱材５を介して単位外壁面材３…を並べて取り付けていくというようにして行われてもよいことはいうまでもない。
【００２２】
このように、上記の取付け構造では、各単位外壁面材３の上下の縁部に備えられる引っ掛け凸部６，６が、単位外壁面材３の肉内に埋込み状態にされたアンカー部７ｂ，７ｂを備えた引っ掛け金物７からなり、該金物７の引っ掛け凸部６となる部分７ａが受け金物９，１０，１１に引っ掛け状態にされて取り付けられているので、引っ掛け凸部６に欠けを生じることはなく、また、引っ掛け金物７のアンカー部７ｂに対するコンクリートのかぶり厚さも充分に確保することができて各単位外壁面材３…に割れを生じたり断面欠損を生じることもなく、各単位外壁面材３をしっかりとした取付け状態にすることができる。のみならず、外壁面材２とパネルフレーム４との分離も容易に行うことができる。
【００２３】
しかも、外壁面材２が、小割りにされた複数枚の単位外壁面材３…からなっているので、各単位外壁面材３…を取り付ける引っ掛け凸部６，６への力学的負担が小さくなり、外壁面材２をより一層しっかりとした取付け状態にすることができる。
【００２４】
図３、図４及び図５（ロ）に示す第２実施形態の取付け構造は、各単位外壁面材３…の上下の縁部に備えられる引っ掛け凸部６，６を構成する引っ掛け金物７が同じものからなっていて、引っ掛け金物７の種類を一種類にしてコストダウンを図ることができるようになされているものである。
【００２５】
また、引っ掛け金物７において、引っ掛け凸部６になる部分７ａのサイズが幾分大きく設計されると共に、硬質ゴムは排除され、かわりに単位外壁面材３のコンクリートが回り込んでいる。このように、引っ掛け凸部６に充分な量のコンクリートを回り込ませて増肉できるような場合には、回り込んだコンクリートに欠けを生じるおそれも小さく、引っ掛け金物７の引っ掛け凸部６になる部分７ａのサイズも大きいので、しっかりとした取付け状態を得ることができ、硬質ゴムを排除してコストダウンを図ることができる。その他は、上記の第１実施形態と同様であり、同様の作用効果が奏される。
【００２６】
以上に、本発明の実施形態を示したが、本発明はこれに限られるものではなく、発明思想を逸脱しない範囲で各種の変更が可能である。例えば、上記の実施形態では、外壁パネル１において、各単位外壁面材３…が上下方向に並べられている場合を示しているが、左右方向に並べられてもよいし、上下左右方向に並べられてもよい。また、上記の実施形態では、一つの外壁パネル１の中で、外壁面材２を複数の単位外壁面材３…に小割りにした場合を示しているが、小割りにしない一枚の外壁面材をパネルフレームに取り付ける場合に用いることも可能である。また、上記の実施形態では、外壁パネル１において、外壁面材２をパネルフレーム４に取り付ける場合を示しているが、本発明は外壁パネルに限らず、各種対象への外壁面材、単位外壁面材の取付けに用いることができるものである。更に、上記の実施形態では、引っ掛け凸部を単位外壁面材の上下の縁部に備えさせた場合を示しているが、引っ掛け凸部は、一枚の外壁面材であるか単位外壁面材であるか、また、外壁パネルであるかを問わず、面材の上下の縁部に限らず、左右の縁部に備えられていてもよい。また、面材はＧＲＣに限らず、引っ掛け金物のアンカー部を埋め込み状態にして備えさせることのできる各種コンクリート系の面材であればよい。
【図面の簡単な説明】
【００２７】
【図１】第１実施形態の取付け構造及び外壁パネルを示す分解断面側面図である。
【図２】同中間省略の全体断面側面部である。
【図３】第２実施形態の取付け構造及び外壁パネルを示す分解断面側面図である。
【図４】同中間省略の全体断面側面部である。
【図５】図（イ−１）（イ−２）はそれぞれ、第１実施形態に用いられている引っ掛け金物の斜視図、図（ロ）は第２実施形態に用いられている引っ掛け金物の斜視図
【図６】両実施形態にかかるもので、外壁面材の正面図である。
【符号の説明】
【００２８】
１…外壁パネル
２…ＧＲＣ外壁面材
３…ＧＲＣ単位外壁面材
４…パネルフレーム（取付け側）
６…引っ掛け凸部
７…引っ掛け金物
７ｂ…アンカー部
【図１】
2005282188.tif 000003
【図２】
2005282188.tif 000004
【図３】
2005282188.tif 000005
【図４】
2005282188.tif 000006
【図５】
2005282188.tif 000007
【図６】
2005282188.tif 000008